(57)【特許請求の範囲】
【請求項１】
それぞれ電子機器に接続して、接続された電子機器に電源信号を配電する複数の配電ポートと、
前記各電子機器に配電する前段で、突入電流を一括して抑止する突入電流抑止回路と、
前記複数の配電ポートにそれぞれ接続された前記電子機器の少なくとも１つにおける負荷変動を検出した場合は、前記突入電流の発生契機とみなして、スイッチ切替指示を出力する制御部と、
前記スイッチ切替指示にもとづき、前記突入電流の発生時には、前記電源信号を前記突入電流抑止回路に入力する第１の電源経路に切り替え、前記突入電流の未発生時には、前記電源信号の経路を、前記突入電流抑止回路を迂回させる第２の電源経路に切り替えるスイッチ部と、
を有することを特徴とする配電装置。
【請求項２】
前記制御部は、
前記電源信号の電圧値が第１の閾値電圧以下となって、前記第１の閾値電圧以下となる状態が第１の時間以上継続した場合、
前記電源信号の電圧値が第２の閾値電圧を超えて、前記第２の閾値電圧を超える状態が第２の時間以上継続しなかった場合、
前記電源信号の電圧値が第３の閾値電圧を超えるタイミングが第３の時間内に発生しなかった場合、
の少なくとも１つを検出した際に、前記突入電流の発生契機とみなして、前記第１の電源経路へのスイッチ切替指示を出力することを特徴とする請求項１記載の配電装置。
【請求項３】
前記制御部は、前記配電装置に対する前記電源信号の供給開始に伴って当該制御部が起動した時、前記第１の電源経路へのスイッチ切替指示を出力し、さらに、前記第１の電源経路における電流または電圧が所定値を超えてから一定時間経過後に、前記第２の電源経路へのスイッチ切替指示を出力することを特徴とする請求項１記載の配電装置。
【請求項４】
前記制御部は、前記電子機器が待機状態から稼動状態へ遷移した場合を前記負荷変動として検出することを特徴とする請求項１記載の配電装置。
【請求項５】
それぞれ電子機器に接続して、接続された電子機器に電源信号を配電する複数の配電ポートと、
前記各電子機器に配電する前段で、突入電流を一括して抑止する突入電流抑止回路と、
前記複数の配電ポートのうちの１つに接続された一の電子機器から第１の指示を受けると、第１の電源経路へのスイッチ切替指示を出力し、その後に前記一の電子機器から第２の指示を受けると、第２の電源経路へのスイッチ切替指示を出力する制御部と、
前記スイッチ切替指示にもとづき、前記突入電流の発生時には、前記電源信号を前記突入電流抑止回路に入力する前記第１の電源経路に切り替え、前記突入電流の未発生時には、前記電源信号の経路を、前記突入電流抑止回路を迂回させる前記第２の電源経路に切り替えるスイッチ部と、
を有することを特徴とする配電装置。
【請求項６】
それぞれ電子機器に接続して、接続された電子機器に電源信号を配電する複数の配電ポートと、
前記各電子機器に配電する前段で、突入電流を一括して抑止する突入電流抑止回路と、
前記複数の配電ポートのうちの１つに接続された前記電子機器から制御指示を受けると、第１の電源経路へのスイッチ切替指示を出力し、前記制御指示に含まれていた設定時間が経過した後、第２の電源経路へのスイッチ切替指示を出力する制御部と、
前記スイッチ切替指示にもとづき、前記突入電流の発生時には、前記電源信号を前記突入電流抑止回路に入力する前記第１の電源経路に切り替え、前記突入電流の未発生時には、前記電源信号の経路を、前記突入電流抑止回路を迂回させる前記第２の電源経路に切り替えるスイッチ部と、
を有することを特徴とする配電装置。
【請求項７】
複数の電子機器と、
前記複数の電子機器のそれぞれに接続して、接続された電子機器に電源信号を配電する複数の配電ポート、
前記各電子機器に配電する前段で、突入電流を一括して抑止する突入電流抑止回路、
前記複数の配電ポートにそれぞれ接続された前記電子機器の少なくとも１つにおける負荷変動を検出した場合は、前記突入電流の発生契機とみなして、スイッチ切替指示を出力する制御部、および、
前記スイッチ切替指示にもとづき、前記突入電流の発生時には、前記電源信号を前記突入電流抑止回路に入力する第１の電源経路に切り替え、前記突入電流の未発生時には、前記電源信号の経路を、前記突入電流抑止回路を迂回させる第２の電源経路に切り替えるスイッチ部、
を備える配電装置と、
を有することを特徴とする配電システム。
【請求項８】
配電装置における突入電流抑制方法であって、
複数の電子機器に対して、前記複数の電子機器がそれぞれ接続された複数の配電ポートを通じて電源信号を配電し、
前記複数の配電ポートにそれぞれ接続された前記電子機器の少なくとも１つにおける負荷変動を検出した場合は、突入電流の発生契機とみなして、前記電源信号の経路を、突入電流抑止回路を迂回して前記複数の配電ポートに接続する第２の電源経路から、前記突入電流抑止回路を介して前記複数の配電ポートに接続する第１の電源経路に切り替える、
ことを特徴とする突入電流抑制方法。
【発明の詳細な説明】
【技術分野】
【０００１】
本発明は、配電装置、配電システムおよび突入電流抑制方法に関する。
【背景技術】
【０００２】
サーバやストレージ装置などの電子機器へＡＣ（Alternating Current）電源を供給した時に、動作電流の数倍の入力電流が瞬間的に流れることがある。このような電流は、突入電流（または始動電流）と呼ばれている。
【０００３】
突入電流の発生事由としては、例えば、電子機器に搭載された電源回路内部のコンデンサへの充電による影響が大きい。すなわち、電源回路では、脈動分の少ない直流電圧を生成するために、入力側に容量の大きな平滑用の入力コンデンサを配置している。入力コンデンサは、初期状態では電荷は０に近いため、電源供給時には大きな充電電流が瞬間的に流れ、これが突入電流となる。
【０００４】
突入電流が生じると、電源ラインに定格電流以上の電流が流れて、回路素子やコネクタに破損を生じさせるおそれがあるため、システムを安定稼働する上で突入電流を抑制することは重要である。そこで、電源投入時や瞬時停電発生後の復帰時において突入電流の発生を防止した技術が提案されている。
【先行技術文献】
【特許文献】
【０００５】
【特許文献１】特開平１０−１５５２７２号公報
【特許文献２】特開平１１−１９６５２９号公報
【発明の概要】
【発明が解決しようとする課題】
【０００６】
近年、サーバやストレージ装置などの電子機器の小型化および高密度化に伴い、同一ラック内に搭載される各種の電子機器の台数が増加している。このように搭載される電子機器の数が多くなるほど、システム全体で発生する突入電流が大きくなるという問題がある。
【０００７】
突入電流は各電子機器が備える電源回路で発生するため、機器の制御方法や突入電流を抑制するレベルについては電源回路によって異なる。このため、電源回路毎に突入電流抑止回路を設ける方策が採られることが多い。しかしながら、各電子機器内の電源回路に突入電流抑止回路を設ける構成では、電子機器の数が増加するほど、突入電流抑制のために要するコストが増加するという問題があった。
【０００８】
１つの側面では、本発明は、低コストで突入電流を抑制する配電装置、配電システムおよび突入電流抑制方法を提供することを目的とする。
【課題を解決するための手段】
【０００９】
上記課題を解決するために、配電装置が提供される。配電装置は、それぞれ電子機器に接続して、接続された電子機器に電源信号を配電する複数の配電ポートと、前記各電子機器に配電する前段で、突入電流を一括して抑止する突入電流抑止回路と、前記複数の配電ポートにそれぞれ接続された前記電子機器の少なくとも１つにおける負荷変動を検出した場合は、前記突入電流の発生契機とみなして、スイッチ切替指示を出力する制御部と、前記スイッチ切替指示にもとづき、前記突入電流の発生時には、前記電源信号を前記突入電流抑止回路に入力する第１の電源経路に切り替え、前記突入電流の未発生時には、前記電源信号の経路を、前記突入電流抑止回路を迂回させる第２の電源経路に切り替えるスイッチ部と、を有する。
【００１０】
また、上記課題を解決するために、上記配電装置と複数の電子機器とを有する配電システムが提供される。
さらに、上記課題を解決するために、上記配電装置と同様の処理を実行する突入電流抑制方法が提供される。
【発明の効果】
【００１１】
１態様によれば、低コストで突入電流を抑制することが可能になる。
【図面の簡単な説明】
【００１２】
【図１】第１の実施の形態に係る配電装置の構成例を示す図である。
【図２】ＰＤＵを含む配電システムの参考例を示す図である。
【図３】第２の実施の形態に係る配電システムの構成例を示す図である。
【図４】突入電流抑止部の内部構成例を示す図である。
【図５】ＰＤＵの動作フローを示す図である。
【図６】ＰＤＵの動作フローを示す図である。
【図７】ＡＣ入力異常の検出判定を説明するための図である。
【図８】ＰＤＵの動作フローを示す図である。
【図９】エンクロージャの構成例を示す図である。
【発明を実施するための形態】
【００１３】
以下、本発明の実施の形態を図面を参照して説明する。
［第１の実施の形態］
図１は、第１の実施の形態に係る配電装置の構成例を示す図である。配電装置１０は、電源部２０および電子機器３−１〜３−ｎが接続され、電源部２０からの電源信号を、電子機器３−１〜３−ｎに配電する。
【００１４】
配電装置１０は、突入電流抑止回路１１、制御部１２、スイッチ部ｓｗおよび配電ポートｐ１〜ｐｎを備える。配電ポートｐ１〜ｐｎは、電子機器３−１〜３−ｎに接続して、電子機器３−１〜３−ｎに電源信号を配電するポートである。
【００１５】
突入電流抑止回路１１は、電子機器３−１〜３−ｎに配電する前段で、突入電流を一括して抑止する。制御部１２は、突入電流の発生契機を検出して、スイッチ切替指示を出力する。
【００１６】
スイッチ部ｓｗは、スイッチ切替指示にもとづき、突入電流の発生時には、電源信号を突入電流抑止回路１１に入力する第１の電源経路に切り替える。また、スイッチ切替指示にもとづき、突入電流の未発生時には、電源信号の経路を、突入電流抑止回路１１を迂回させる第２の電源経路に切り替える。
【００１７】
このように、配電装置１０は、突入電流発生時には、電源経路を突入電流抑止回路１１に入力して、配電ポートｐ１〜ｐｎに接続される複数の電子機器３−１〜３−ｎの前段で突入電流を一括して抑止する構成とした。これにより、電子機器個別に突入電流抑止回路を備えることを不要とし、低コストで突入電流を抑制することが可能になる。
【００１８】
［第２の実施の形態］
次に、第２の実施の形態として、上記の配電装置１０を含む配電システムについて説明する。以下では、配電装置１０の一例として、ＰＤＵ（Power Distribution Unit）と呼ばれる配電タップを挙げる。
【００１９】
ここではまず、ＰＤＵを含む配電システムの参考例を図２に示し、この図２を用いて配電システムの参考例を用いた場合の課題について説明した後、第２の実施の形態について説明する。
【００２０】
図２は、ＰＤＵを含む配電システムの参考例を示す図である。ＰＤＵ１００は、ブレーカ１０１、１０２を含む。また、ＰＤＵ１００には、電源部２０と、エンクロージャ（Enclosure）３１〜３８が接続されている。
【００２１】
エンクロージャ３１〜３４はそれぞれ、ＰＳＵ（Power Supply Unit）３１ａ〜３４ａを備えている。また、エンクロージャ３５〜３８はそれぞれ、ＰＳＵ３５ａ〜３８ａを備えている。ＰＳＵ３１ａ〜３８ａはそれぞれ、ＰＤＵ１００から入力されるＡＣ電源電圧をＤＣ（Direct Current）電圧に変換し、対応するエンクロージャ内の装置に供給する。さらに、ＰＳＵ３１ａ〜３８ａは、図示はしていないが、突入電流抑止回路をそれぞれ有している。
【００２２】
ＰＤＵ１００内のブレーカ１０１、１０２の一端は共に、電源部２０と接続する。電源部２０は、ＡＣ電源電圧をＰＤＵ１００に供給する。電源部２０としては、分電盤やＵＰＳ（Uninterruptible Power Supply：無停電電源装置）が該当する。
【００２３】
ブレーカ１０１の他端は、配電ポートｐ１〜ｐ４を通じて、エンクロージャ３１〜３４内のＰＳＵ３１ａ〜３４ａと接続する。ブレーカ１０２の他端は、配電ポートｐ５〜ｐ８を通じて、エンクロージャ３５〜３８内のＰＳＵ３５ａ〜３８ａと接続する。
【００２４】
ブレーカ１０１は、エンクロージャ３１〜３４内のＰＳＵ３１ａ〜３４ａのいずれかで過負荷や短絡などにより異常な電流が流れた時には、電路を開放し、ＰＳＵ３１ａ〜３４ａに対する電源部２０からの電源供給を遮断する。同様に、ブレーカ１０２は、エンクロージャ３５〜３８内のＰＳＵ３５ａ〜３８ａのいずれかで過負荷や短絡などにより異常な電流が流れた時には、電路を開放し、ＰＳＵ３５ａ〜３８ａに対する電源部２０からの電源供給を遮断する。
【００２５】
ここで、ＰＤＵ１００は、多数のエンクロージャに対して効率的に電源を供給することを可能にする。例えば、ＰＳＵ個々にＡＣコンセントと接続するための電源ケーブルを設けると、同一ラックに搭載されるエンクロージャ数が増加した場合、１ラック当たりの電源ケーブル数も増加することになる。一例を挙げると、データセンタで主流となる高さ４０Ｕ（１Ｕ（ユニット）＝１．７５インチ）の１９インチラックに対して、高さ２Ｕの冗長電源を有するサーバをフルに搭載すると、電源ケーブルは４０本となってしまう。
【００２６】
４０本もの電源ケーブルを、一般的な施設のＡＣコンセントに直接接続することは困難である。これに対して、ＰＤＵ１００に各エンクロージャを接続すること、上述のようなＡＣコンセント数の問題は解消される。また、ＰＤＵ１００は、ラックに取り付けることが可能であるので、ラックから出る電源ケーブル数を減らすことができ、多くの電源ケーブルが床上を行き交うというような状態も解消することができる。
【００２７】
ところで、ＰＳＵ３１ａ〜３８ａは、平滑用などの各種コンデンサを備えている。一方、前述のように、突入電流は、ＰＳＵの内部のコンデンサへの充電時に発生する。突入電流が発生するケースとしては、ＰＳＵの内部回路の動作開始時に発生する場合や、ＰＳＵが出力を開始する時に発生する場合などがある。
【００２８】
このように、突入電流は、各ＰＳＵで発生するため、図２のような配電システムでは、ＰＳＵ毎に、突入電流抑止回路を有する構成がとられることがある。しかし、この場合には、ラックに搭載されるエンクロージャ数が増加すると、突入電流抑制のために要するコストが増加するといった問題があった。
【００２９】
一方、基幹系システムなどでは、ＰＤＵでＡＣケーブルがまとめられることを想定して、各エンクロージャに搭載するＰＳＵは突入電流を２０Ａ程度まで抑制するような構成を採用していることが多い。しかしながら、小規模システムでは、ＰＤＵでＡＣケーブルがまとめられることを想定せず、突入電流が５０Ａ以上発生してしまうＰＳＵが存在する場合がある。
【００３０】
このように、様々なエンクロージャが接続されたＰＤＵは、ＰＤＵ入力端では１００Ａを超える突入電流が発生してしまうことがあり、施設側のヒューズやブレーカが誤動作したり、ＵＰＳが過電流を検出して出力停止状態になったりするといった問題もあった。さらに、ＰＤＵ入力端での突入電流を抑制するために、後段のエンクロージャに一定以上の突入電流を抑制可能なＰＤＵを搭載することを義務づけた場合、接続可能なエンクロージャが限られてしまい、システムの汎用性が低下してしまう。
【００３１】
第２の実施の形態に係る配電システムはこのような点に鑑みてなされたものであり、ＰＤＵに入力する突入電流を抑止することで、低コストで突入電流を抑制するとともに、分電盤やＵＰＳの誤動作を防止するものである。さらに、電源仕様の異なる様々なエンクロージャを接続可能にするものである。
【００３２】
次に、上記の配電装置１０を含む配電システムの構成例について説明する。なお、以降では、配電装置をＰＤＵと呼ぶ。
図３は、第２の実施の形態に係る配電システムの構成例を示す図である。配電システム１は、ＰＤＵ１０−１、電源部２０およびエンクロージャ３１〜３８を備える。なお、電源部２０およびエンクロージャ３１〜３８については、図２で説明した通りである。
【００３３】
ＰＤＵ１０−１は、突入電流抑止部１１ａ、１１ｂ、制御監視回路１２−１、ブレーカ１３ａ、１３ｂ、ヒューズ１４、ＡＣ／ＤＣコンバータ１５、バッテリ１６、配電ポートｐ１〜ｐ８および外部インタフェースポートＡ、Ｂを備える。
【００３４】
突入電流抑止部１１ａは、突入電流抑止回路１１ａ−１およびバイパススイッチｓｗ１を含む。突入電流抑止部１１ｂは、突入電流抑止回路１１ｂ−１およびバイパススイッチｓｗ２を含む。
【００３５】
また、ＰＤＵ１０−１には、電源部２０と、エンクロージャ３１〜３４、３５〜３８が接続している。
エンクロージャ３１〜３４はそれぞれ、ＰＳＵ３１ａ〜３４ａを備え、エンクロージャ３５〜３８はそれぞれ、ＰＳＵ３５ａ〜３８ａを備えている。
【００３６】
ＰＤＵ１０−１内のブレーカ１３ａ、１３ｂの一端は共に、電源部２０と接続する。電源部２０としては、分電盤やＵＰＳが該当する。
ブレーカ１３ａの他端は、突入電流抑止部１１ａの入力端と接続する。突入電流抑止部１１ａの入力端は、突入電流抑止部１１ａの内部で２分岐している。一方の分岐ラインは、突入電流抑止回路１１ａ−１の入力端に接続し、他方の分岐ラインは、バイパススイッチｓｗ１の入力端と接続する。
【００３７】
また、突入電流抑止回路１１ａ−１の出力端と、バイパススイッチｓｗ１の出力端とは、突入電流抑止部１１ａ内部で合流して、突入電流抑止部１１ａの出力端と接続する。突入電流抑止部１１ａの出力端は、配電ポートｐ１〜ｐ４と接続し、配電ポートｐ１〜ｐ４には、エンクロージャ３１〜３４内のＰＳＵ３１ａ〜３４ａがそれぞれ接続する。
【００３８】
ブレーカ１３ｂの他端は、突入電流抑止部１１ｂの入力端と接続する。突入電流抑止部１１ｂの入力端は、突入電流抑止部１１ｂの内部で２分岐している。一方の分岐ラインは、突入電流抑止回路１１ｂ−１の入力端に接続し、他方の分岐ラインは、バイパススイッチｓｗ２の入力端と接続する。
【００３９】
突入電流抑止回路１１ｂ−１の出力端と、バイパススイッチｓｗ２の出力端とは、突入電流抑止部１１ｂ内部で合流して、突入電流抑止部１１ｂの出力端と接続する。突入電流抑止部１１ｂの出力端は、配電ポートｐ５〜ｐ８と接続し、配電ポートｐ５〜ｐ８には、エンクロージャ３５〜３８内のＰＳＵ３５ａ〜３８ａがそれぞれ接続する。
【００４０】
ヒューズ１４の一方の端子は、電源部２０に接続し、他方の端子は、ＡＣ／ＤＣコンバータ１５の入力端と接続する。ＡＣ／ＤＣコンバータ１５の出力端は、制御監視回路１２−１と接続し、制御監視回路１２−１に対してＤＣ電源を供給する。また、バッテリ１６が、ＡＣ／ＤＣコンバータ１５と制御監視回路１２−１に接続されており、バッテリ１６からも電源が供給できるようになっている。
【００４１】
ブレーカ１３ａは、エンクロージャ３１〜３４内のＰＳＵ３１ａ〜３４ａのいずれかで過負荷や短絡などにより異常な電流が流れた時には、電路を開放し、ＰＳＵ３１ａ〜３４ａに対する電源部２０からの電源供給を遮断する。同様に、ブレーカ１３ｂは、エンクロージャ３５〜３８内のＰＳＵ３５ａ〜３８ａのいずれかで過負荷や短絡などにより異常な電流が流れた時には、電路を開放し、ＰＳＵ３５ａ〜３８ａに対する電源部２０からの電源供給を遮断する。
【００４２】
制御監視回路１２−１は、ブレーカ１３ａ、１３ｂの出力側の電圧／電流監視およびＡＣ／ＤＣコンバータ１５の電圧監視などを行い、突入電流が発生するタイミングを認識して、バイパススイッチｓｗ１、ｓｗ２のスイッチ制御を行うこともできる。
【００４３】
一方、制御監視回路１２−１は、外部インタフェースポートを通じて、エンクロージャ３１〜３４と接続する。なお、図３では簡略化して、外部インタフェースポートをポートＡとし、ポートＡとエンクロージャ３４とが接続している状態のみ示している。同様に、制御監視回路１２−１は、外部インタフェースポートを通じて、エンクロージャ３５〜３８と接続する。なお、図３では簡略化して、外部インタフェースポートをポートＢとし、ポートＢとエンクロージャ３５とが接続している状態のみ示している。
【００４４】
制御監視回路１２−１は、外部インタフェースポートを介して、エンクロージャ３１〜３８から送信される制御指示を受信する。そして、受信した制御指示にもとづいて、バイパススイッチｓｗ１、ｓｗ２のスイッチ制御を行う。
【００４５】
突入電流抑止部１１ａ、１１ｂ内のバイパススイッチｓｗ１、ｓｗ２は、制御監視回路１２−１から送信されるスイッチング指示にもとづいて、突入電流が発生するタイミングのみスイッチＯＦＦとなる。バイパススイッチｓｗ１がスイッチＯＦＦとなると、電源経路が突入電流抑止回路１１ａ−１へ入力する経路に切り替えられ、この時発生した突入電流は、突入電流抑止回路１１ａ−１を流れることで、突入電流が抑止される。同様に、バイパススイッチｓｗ２がスイッチＯＦＦとなると、電源経路が突入電流抑止回路１１ｂ−１へ入力する経路に切り替えられ、この時発生した突入電流は、突入電流抑止回路１１ｂ−１を流れることで、突入電流が抑止される。
【００４６】
図４は、突入電流抑止部の内部構成例を示す図である。突入電流抑止部１１ａ内の突入電流抑止回路１１ａ−１は、例えば、抵抗ＲおよびコイルＬを含む、また、突入電流抑止部１１ａ内のバイパススイッチｓｗ１は、例えば、リレースイッチＲＳＷで構成されている。なお、突入電流抑止部１１ｂも同様な構成で実現可能である。
【００４７】
抵抗Ｒの一端は、リレースイッチＲＳＷの一端と、図３に示したブレーカ１３ａの一端と接続し、抵抗Ｒの他端は、コイルＬの一端と接続する。コイルＬの他端は、リレースイッチＲＳＷの他端と、図３に示した配電ポートｐ１〜ｐ４を介して、エンクロージャ３１〜３４内のＰＳＵ３１ａ〜３４ａに接続する。
【００４８】
なお、図４の例では、突入電流抑止回路１１ａ−１は、抵抗ＲとコイルＬとで構成したが、例えば抵抗Ｒのみで構成してもよい。また、バイパススイッチｓｗ１は、リレースイッチＲＳＷとしたが、例えばサイリスタなどを用いてもよい。
【００４９】
次に突入電流が発生するタイミングについて説明する。突入電流が発生するタイミングとしては、例えば、以下の３つのケースが考えられる。
（１）通常起動時
通常起動時としては、例えば、ＡＣ入力コンセントの接続時、分電盤ブレーカがＯＦＦからＯＮになった時、またはＵＰＳ出力がＯＦＦからＯＮになった時などである。
【００５０】
（２）ＡＣ入力異常時
ＡＣ入力異常時としては、例えば、ＡＣ入力電源の瞬間電圧低下または停止状態からの復電時（停電からの復旧時）などである。
【００５１】
（３）エンクロージャの負荷変動時
エンクロージャの負荷変動時としては、例えば、エンクロージャ内の装置が待機状態から稼動状態へ遷移した場合が該当する。例えば、エンクロージャ内のディスク装置がＭＡＩＤ（Massive Array of Idle Disks）に対応している場合に、ディスク装置がスピンダウン状態からスピンアップ状態に遷移する時などが該当する。
【００５２】
次に各突入電流発生タイミングにおけるＰＤＵ１０−１の動作についてフローチャートを用いて説明する。図５は、ＰＤＵの動作フローを示す図である。この図５は、上記（１）の通常起動時におけるＰＤＵ１０−１の動作を示している。
【００５３】
〔ステップＳ１〕ＡＣ電源を配電システム１に入力する。例えば、電源部２０のコンセントをＡＣ電源に接続した時に該当する。
〔ステップＳ２〕制御監視回路１２−１に電源が供給され起動する。制御監視回路１２−１は、バイパススイッチｓｗ１、ｓｗ２を開放（ＯＦＦ）状態にする。バイパススイッチｓｗ１、ｓｗ２がＯＦＦの時、電源経路は、図１で示した第１の電源経路となり、電源部２０から流れてくる電源信号は、突入電流抑止回路１１ａ−１、１１ｂ−１へ流れる。なお、バイパススイッチｓｗ１、ｓｗ２は、制御監視回路１２−１が起動していない状態でもＯＦＦになっていることが望ましい。例えば、バイパススイッチｓｗ１、ｓｗ２として、ノーマリオフ方式のスイッチを使用することが望ましい。
【００５４】
制御監視回路１２−１は、以下のステップＳ３〜Ｓ７の処理を、ブレーカ１３ａおよび突入電流抑止部１１ａを含む系統と、ブレーカ１３ｂおよび突入電流抑止部１１ｂを含む系統とで、個別に実行する。ここでは例として前者の系統についての処理を説明する。
【００５５】
〔ステップＳ３〕制御監視回路１２−１は、ブレーカ１３ａの後段の電圧または電流を監視する。
〔ステップＳ４〕制御監視回路１２−１が、所定値を超える電圧または電流を検出した場合（Ｓ４：ＹＥＳ）は、ステップＳ５へ行き、検出された電圧または電流が所定値以下である場合（Ｓ４：ＮＯ）は、ステップＳ３へ戻る。なお、制御監視回路１２−１が所定値を超える電圧または電流を検出するケースとは、例えば、ブレーカ１３ａの動作が開始され、さらに、配電ポートｐ１〜ｐ４に接続されたエンクロージャ３１〜３４の少なくとも１つが電源ＯＮ状態に遷移した場合である。
【００５６】
〔ステップＳ５〕制御監視回路１２−１は、内部に有しているタイマを起動する。
〔ステップＳ６〕制御監視回路１２−１は、タイマにあらかじめ設定してある設定時間経過後、バイパススイッチｓｗ１を閉塞（ＯＮ）状態に設定する。なお、タイマの設定時間は、例えば、エンクロージャに搭載される一般的なＰＳＵにおける内部コンデンサの充電時間や、ＰＳＵの出力電圧が安定するまでの時間を十分に含むように設定される。バイパススイッチｓｗ１がＯＮの時、電源経路は、図１で示した第２の電源経路となり、電源部２０から流れてくる電源信号は、バイパススイッチｓｗ１を通過して、後段のエンクロージャへ流れる。
【００５７】
〔ステップＳ７〕バイパススイッチｓｗ１がＯＮとなり、電源信号が供給される経路は、突入電流抑止回路１１ａ−１を迂回して、バイパススイッチｓｗ１を通過する経路となる。そして、この状態でエンクロージャ３１〜３４は通常運用状態で運用される。
【００５８】
上記のように、制御監視回路１２−１が入力ＡＣ電源の電圧または電流を監視し、定常電流／電圧になる前では、バイパススイッチｓｗ１、ｓｗ２がＯＦＦとなって、突入電流は突入電流抑止回路１１ａ−１、１１ｂ−１へ流れる。そして、定常電流／電圧になるタイミングで、バイパススイッチｓｗ１、ｓｗ２をＯＮにすることで、バイパススイッチｓｗ１、ｓｗ２経由でエンクロージャ３１〜３４、３５〜３８に配電する構成とした。
【００５９】
このように、エンクロージャ３１〜３８の前段で、突入電流抑止制御を一括して行う構成としたので、エンクロージャ３１〜３４、３５〜３８毎に突入電流抑止回路を設けることが不要となり、突入電流抑止に要するコストを低減することが可能になる。また、エンクロージャ３１〜３８のＰＳＵ３１ａ〜３８ａのそれぞれに、決められた一定以上の突入電流を抑止するための回路の搭載を義務づける必要もなくなり、ＰＤＵ１０−１に対して様々な電源仕様を有するエンクロージャを接続可能になる。
【００６０】
また、ＰＤＵ１０−１内で、ＰＤＵ１０−１に入力する突入電流を抑止しているので、電源部２０の誤動作（例えば、分電盤やＵＰＳの誤動作）を防止することが可能になる。例えば、電源部２０からＰＤＵ１０−１への電源供給が開始された後、エンクロージャ３１〜３８の起動によって大きな突入電流が発生すると、電源部２０内のブレーカやＵＰＳが電源供給を停止してしまい、エンクロージャ３１〜３８が起動できなくなる場合がある。さらに、同様の理由による突入電流の発生により、ＰＤＵ１０−１内のブレーカ１３ａ、１３ｂが電源供給を遮断してしまうこともある。ＰＤＵ１０−１内で、ＰＤＵ１０−１に入力する突入電流を抑止したことで、このような事態を回避できる。
【００６１】
図６は、ＰＤＵの動作フローを示す図である。この図は、上記（２）のＡＣ入力異常時におけるＰＤＵ１０−１の動作を示している。
〔ステップＳ１１〕バイパススイッチｓｗ１、ｓｗ２がＯＮであり、電源が供給される経路は、突入電流抑止回路１１ａ−１、１１ｂ−１を迂回して、バイパススイッチｓｗ１、ｓｗ２を通過する経路で、システムが運用されている（通常運用状態）。
【００６２】
〔ステップＳ１２〕ＡＣ入力の瞬間電圧低下または瞬間電圧停止が発生する。
〔ステップＳ１３〕制御監視回路１２−１は、ＡＣ／ＤＣコンバータ１５からの出力電圧の監視結果にもとづき、ＡＣ入力の瞬間電圧低下または瞬間電圧停止を検出する（検出判定については図７で後述する）。
【００６３】
〔ステップＳ１４〕制御監視回路１２−１は、バイパススイッチｓｗ１、ｓｗ２をＯＦＦ状態に設定する。バイパススイッチｓｗ１、ｓｗ２がＯＦＦの時、電源経路は、図１で示した第１の電源経路となり、電源部２０から流れてくる電源信号は、突入電流抑止回路１１ａ−１、１１ｂ−１へ流れる。
【００６４】
なお、制御監視回路１２−１には、バッテリ１６からの電圧も供給されている。ステップＳ１３でＡＣ入力の瞬間電圧低下または瞬間電圧停止を検出した時、制御監視回路１２−１は、バッテリ１６からの電圧によって動作し続けることができる。
【００６５】
制御監視回路１２−１は、以下のステップＳ１５〜Ｓ１９の処理を、ブレーカ１３ａおよび突入電流抑止部１１ａを含む系統と、ブレーカ１３ｂおよび突入電流抑止部１１ｂを含む系統とで、個別に実行する。ここでは例として前者の系統についての処理を説明する。
【００６６】
〔ステップＳ１５〕制御監視回路１２−１は、ブレーカ１３ａの後段の電圧または電流を監視する。
〔ステップＳ１６〕制御監視回路１２−１が、電圧または電流を検出した場合（Ｓ１６：ＹＥＳ）は、ステップＳ１７へ行き、電圧または電流を検出しない場合（Ｓ１６：ＮＯ）は、ステップＳ１５へ戻る。
【００６７】
〔ステップＳ１７〕制御監視回路１２−１は、内部に有しているタイマを起動する。
〔ステップＳ１８〕制御監視回路１２−１は、タイマにあらかじめ設定してある設定時間経過後、バイパススイッチｓｗ１をＯＮ状態に設定する。バイパススイッチｓｗ１がＯＮの時、電源経路は、図１で示した第２の電源経路となり、電源部２０から流れてくる電源信号は、バイパススイッチｓｗ１を通過して、後段のエンクロージャへ流れる。
【００６８】
〔ステップＳ１９〕バイパススイッチｓｗ１がＯＮとなり、電源が供給される経路は、突入電流抑止回路１１ａ−１を迂回して、バイパススイッチｓｗ１を通過する経路となる。そして、この状態でエンクロージャ３１〜３４は通常運用状態で運用される。
【００６９】
なお、ステップＳ１３では、制御監視回路１２−１は、ブレーカ１３ａと突入電流抑止部１１ａとの間、および、ブレーカ１３ｂと突入電流抑止部１１ｂとの間において、それぞれ電圧を検出してもよい。この場合、制御監視回路１２−１は、ステップＳ１３〜Ｓ１９までの処理を、ブレーカ１３ａおよび突入電流抑止部１１ａを含む系統と、ブレーカ１３ｂおよび突入電流抑止部１１ｂを含む系統とで、個別に実行する。
【００７０】
図７は、ＡＣ入力異常の検出判定を説明するための図である。図７の縦軸は電圧（Ｖ）、横軸は時間（ｍｓ）である。
制御監視回路１２−１のＡＣ入力異常監視は、入力電圧を監視して判定を行う。ＡＣ入力電圧を異常と認識する条件は、例えば以下の３つである。制御監視回路１２−１は、例えば、以下の（ａ）〜（ｃ）の少なくとも１つの条件を満たした時、ＡＣ入力電圧が異常と認識する。あるいは、制御監視回路１２−１は、（ａ）〜（ｃ）のうちの複数の条件を満たした時、ＡＣ入力電圧が異常と認識してもよい。
【００７１】
（ａ）あらかじめ設定された閾値電圧Ｖに対して、入力電圧が閾値電圧Ｖ以下になる状態が一定期間Ｔａ以上継続した場合に、ＡＣ入力電圧が異常と認識する。
（ｂ）あらかじめ設定された閾値電圧Ｖに対して、入力電圧が閾値電圧Ｖを超えた状態が一定時間Ｔｂ以上継続しなかった場合に、ＡＣ入力電圧が異常と認識する。
【００７２】
（ｃ）あらかじめ設定された閾値電圧Ｖに対して、入力電圧が閾値電圧Ｖを超えるタイミングが一定時間Ｔｃ内に発生しなかった場合に、ＡＣ入力電圧が異常と認識する。ただし、条件（ｂ）と条件（ｃ）で閾値電圧Ｖが共通である場合、Ｔｃ＞Ｔｂである。
【００７３】
なお、条件（ａ）〜（ｃ）のそれぞれにおける閾値電圧は、互いに異なる値としてもよい。
上記のように、制御監視回路１２−１は、瞬間的な電圧低下や停電が発生したことを検知すると、バイパススイッチｓｗ１、ｓｗ２をＯＦＦにして、突入電流抑止回路１１ａ−１、１１ｂ−１経由で配電する構成とした。
【００７４】
このように、エンクロージャ３１〜３８の前段で突入電流抑止制御を一括して行う構成としたので、エンクロージャ３１〜３４、３５〜３８毎に突入電流抑止回路を設けることが不要となり、突入電流抑止に要するコストを低減することが可能になる。また、エンクロージャ３１〜３８のＰＳＵ３１ａ〜３８ａのそれぞれに、決められた一定以上の突入電流を抑止するための回路の搭載を義務づける必要もなくなり、ＰＤＵ１０−１に対して様々な電源仕様を有するエンクロージャを接続可能になる。
【００７５】
また、ＰＤＵ１０−１内で、ＰＤＵ１０−１に入力する突入電流を抑止するので、電源部２０の誤動作（例えば、分電盤やＵＰＳの誤動作）や、ＰＤＵ１０−１内のブレーカ１３ａ、１３ｂの誤動作を防止することが可能になる。
【００７６】
図８は、ＰＤＵの動作フローを示す図である。この図８は、上記（３）のエンクロージャの負荷変動時におけるＰＤＵ１０−１の動作を示している。
〔ステップＳ２１〕バイパススイッチｓｗ１、ｓｗ２がＯＮであり、電源が供給される経路は、突入電流抑止回路１１ａ−１、１１ｂ−１を迂回して、バイパススイッチｓｗ１、ｓｗ２を通過する経路で、システムが運用されている（通常運用状態）。
【００７７】
〔ステップＳ２２〕制御監視回路１２−１は、外部インタフェースポートを介して、エンクロージャ３１〜３８のいずれかからの制御指示情報を受信する。
〔ステップＳ２３〕制御監視回路１２−１は、制御指示情報にしたがい、バイパススイッチｓｗ１、ｓｗ２のうち、動作状態情報を受信したエンクロージャへの電源経路上に設けられたバイパススイッチをＯＦＦ状態にする。以下、例としてバイパススイッチｓｗ１がＯＦＦ状態にされたものとして説明する。バイパススイッチｓｗ１がＯＦＦの時、電源経路は、図１で示した第１の電源経路となり、電源部２０から流れてくる電源信号は、突入電流抑止回路１１ａ−１へ流れる。
【００７８】
〔ステップＳ２４〕制御監視回路１２−１は、制御指示内にタイマ指示が含まれているか否かを判断する。タイマ指示が含まれている場合（Ｓ２４：ＹＥＳ）は、ステップＳ２５へ行き、含まれていない場合（Ｓ２４：ＮＯ）はステップＳ２８へ行く。
【００７９】
〔ステップＳ２５〕制御監視回路１２−１は、内部に有しているタイマを起動する。
〔ステップＳ２６〕制御監視回路１２−１は、タイマにあらかじめ設定してある設定時間経過後、バイパススイッチｓｗ１をＯＮ状態に設定する。なお、タイマの設定時間は、ステップＳ２２で受信した設定指示において指示された時間とされてもよい。バイパススイッチｓｗ１がＯＮの時、電源経路は、図１で示した第２の電源経路となり、電源部２０から流れてくる電源信号は、バイパススイッチｓｗ１を通過して、後段のエンクロージャへ流れる。
【００８０】
〔ステップＳ２７〕バイパススイッチｓｗ１がＯＮとなり、電源が供給される経路は、突入電流抑止回路１１ａ−１を迂回して、バイパススイッチｓｗ１を通過する経路となる。そして、この状態でエンクロージャ３１〜３４は通常運用状態で運用される。
【００８１】
〔ステップＳ２８〕制御監視回路１２−１は、該当エンクロージャからスイッチＯＮ指示を受信したか否かを判断する。受信した場合（Ｓ２８：ＹＥＳ）は、ステップＳ２９へ行き、受信しない場合（Ｓ２８：ＮＯ）は、スイッチＯＮ指示を待つ。
【００８２】
〔ステップＳ２９〕制御監視回路１２−１は、バイパススイッチｓｗ１をＯＮ状態にする。ステップＳ２７へ行く。
上記のように、制御監視回路１２−１は、エンクロージャ３１〜３８の負荷変動時の制御指示にもとづいて、バイパススイッチｓｗ１、ｓｗ２のＯＮ／ＯＦＦの切り替えを行う構成とした。
【００８３】
このように、エンクロージャ３１〜３８の前段で突入電流抑止制御を一括して行う構成としたので、エンクロージャ３１〜３４、３５〜３８毎に突入電流抑止回路を設けることが不要となり、突入電流抑止に要するコストを低減することが可能になる。また、エンクロージャ３１〜３８のＰＳＵ３１ａ〜３８ａのそれぞれに、決められた一定以上の突入電流を抑止するための回路の搭載を義務づける必要もなくなり、ＰＤＵ１０−１に対して様々な電源仕様を有するエンクロージャを接続可能になる。
【００８４】
また、ＰＤＵ１０−１内で、ＰＤＵ１０−１に入力する突入電流を抑止するので、電源部２０の誤動作（例えば、分電盤やＵＰＳの誤動作）や、ＰＤＵ１０−１内のブレーカ１３ａ、１３ｂの誤動作を防止することが可能になる。なお、図８の制御は、特にエンクロージャが待機状態から、パワーＯＮするタイミングで大きな突入電流が発生するような場合に有効である。
【００８５】
次にエンクロージャの構成例について説明する。図９は、エンクロージャの構成例を示す図である。
エンクロージャ３１〜３４には、ストレージシステムを構成する装置が収容されている。また、エンクロージャ３１〜３４には、ＰＳＵ３１ａ〜３４ａが搭載されている。ＰＳＵ３１ａ〜３４ａは、ＰＤＵから供給されるＡＣ電源をＤＣに変換し、エンクロージャ内部の装置に供給する。
【００８６】
エンクロージャ３１は、ＣＭ（Controller Module）３１ｂ−１、３１ｂ−２を備える。ＣＭ３１ｂ−１、３１ｂ−２は、ストレージシステムを統括的に制御する制御サーバである。ＣＭ３１ｂ−１、３１ｂ−２はそれぞれ、例えば、ＣＰＵ（Central Processing Unit）、メモリ等を備えるコンピュータである。なお、本実施の形態では、ＣＭはアクセスの信頼性向上のために２台搭載され、冗長化されている。
【００８７】
エンクロージャ３２、３３はそれぞれ、ディスクアレイ３２ｂ、３３ｂを備える。ディスクアレイ３２ｂ、３３ｂは、ＣＭ３１ｂ−１、３１ｂ−２からのアクセス制御対象の記憶装置を内部に複数備えている。記憶装置は例えば、ＨＤＤ（Hard disk drive）、ＳＳＤ（Solid State Drive）などである。
【００８８】
エンクロージャ３４は、ＦＣ（Fibre Channel）スイッチ３４ｂを備える。ＦＣスイッチ３４ｂは、ＣＭ３１ｂ−１、３１ｂ−２とディスクアレイ３２ｂ、３３ｂとの間でＦＣケーブルを通じて送受信されるデータを中継する。
【００８９】
ＣＭ３１ｂ−１、３１ｂ−２は、図示しないホスト装置に接続され、ホスト装置からのＩ／Ｏ（In／Out）要求に応じて、ディスクアレイ３２ｂ、３３ｂ内の記憶装置に対するデータの読み書きを行う。また、ＣＭ３１ｂ−１、３１ｂ−２は、例えば、ディスクアレイ３２ｂ、３３ｂ内の記憶装置によって実現される物理記憶領域をＲＡＩＤ（Redundant Arrays of Inexpensive Disks）によって管理し、これらの物理記憶領域に対するアクセスを制御する。
【００９０】
ＣＭ３１ｂ−１、３１ｂ−２とディスクアレイ３２ｂ、３３ｂのＨＤＤとは、ＭＡＩＤに対応している。ＣＭ３１ｂ−１、３１ｂ−２は、ディスクアレイ３２ｂ、３３ｂに搭載されたＨＤＤのうち使用頻度の低いＨＤＤにスピンダウンを指示し、ＨＤＤにおける磁気ディスクの回転を停止させる。ＣＭ３１ｂ−１、３１ｂ−２は、スピンダウンされたＨＤＤに対してスピンアップを指示する前に、ＰＤＵの通信ポートＡに対して突入電流の抑止を指示する制御指示情報を出力する。この制御指示情報とは、図８のステップＳ２２で制御監視回路１２−１が受信する情報に対応する。
【００９１】
ＣＭ３１ｂ−１、３１ｂ−２は、例えば、ＲＡＩＤグループ単位でＨＤＤのスピンダウンを指示することができる。ＲＡＩＤグループとは、ディスクアレイ３２ｂ、３３ｂに搭載された複数の記憶装置の物理記憶領域を組み合わせて構成される論理記憶領域である。ＣＭ３１ｂ−１、３１ｂ−２がＲＡＩＤグループ内のＨＤＤにスピンアップを指示すると、複数のＨＤＤにおける磁気ディスクが一斉に回転を開始することになり、大きな負荷変動が生じ得る。制御指示情報の出力により、負荷変動による突入電流の発生を抑止できる。
【００９２】
以上、実施の形態を例示したが、実施の形態で示した各部の構成は同様の機能を有する他のものに置換することができる。また、他の任意の構成物や工程が付加されてもよい。
（付記１）  それぞれ電子機器に接続して、接続された電子機器に電源信号を配電する複数の配電ポートと、
前記各電子機器に配電する前段で、突入電流を一括して抑止する突入電流抑止回路と、
前記突入電流の発生契機を検出して、スイッチ切替指示を出力する制御部と、
前記スイッチ切替指示にもとづき、前記突入電流の発生時には、前記電源信号を前記突入電流抑止回路に入力する第１の電源経路に切り替え、前記突入電流の未発生時には、前記電源信号の経路を、前記突入電流抑止回路を迂回させる第２の電源経路に切り替えるスイッチ部と、
を有することを特徴とする配電装置。
【００９３】
（付記２）  前記制御部は、
前記電源信号の電圧値が第１の閾値電圧以下となって、前記第１の閾値電圧以下となる状態が第１の時間以上継続した場合、
前記電源信号の電圧値が第２の閾値電圧を超えて、前記第２の閾値電圧を超える状態が第２の時間以上継続しなかった場合、
前記電源信号の電圧値が第３の閾値電圧を超えるタイミングが第３の時間内に発生しなかった場合、
の少なくとも１つを検出した際に、前記突入電流の発生契機とみなして、前記第１の電源経路へのスイッチ切替指示を出力することを特徴とする付記２記載の配電装置。
【００９４】
（付記３）  前記制御部は、前記配電装置に対する前記電源信号の供給開始に伴って当該制御部が起動した時、前記第１の電源経路へのスイッチ切替指示を出力し、さらに、前記第１の電源経路における電流または電圧が所定値を超えてから一定時間経過後に、前記第２の電源経路へのスイッチ切替指示を出力することを特徴とする付記１記載の配電装置。
【００９５】
（付記４）  前記制御部は、前記複数の配電ポートにそれぞれ接続された電子機器の少なくとも１つにおける負荷変動を検出した場合は、前記突入電流の発生契機とみなして、前記第１の電源経路へのスイッチ切替指示を出力することを特徴とする付記１記載の配電装置。
【００９６】
（付記５）  前記制御部は、前記複数の配電ポートのうちの１つに接続された一の電子機器から第１の指示を受けると、前記第１の電源経路へのスイッチ切替指示を出力し、その後に前記一の電子機器から第２の指示を受けると、前記第２の電源経路へのスイッチ切替指示を出力することを特徴とする付記１記載の配電装置。
【００９７】
（付記６）  前記制御部は、前記複数の配電ポートのうちの１つに接続された電子機器から制御指示を受けると、前記第１の電源経路へのスイッチ切替指示を出力し、前記制御指示に含まれていた設定時間が経過した後、前記第２の電源経路へのスイッチ切替指示を出力することを特徴とする付記１記載の配電装置。
【００９８】
（付記７）  複数の電子機器と、
前記複数の電子機器のそれぞれに接続して、接続された電子機器に電源信号を配電する複数の配電ポート、
前記各電子機器に配電する前段で、突入電流を一括して抑止する突入電流抑止回路、
前記突入電流の発生契機を検出して、スイッチ切替指示を出力する制御部、および、
前記スイッチ切替指示にもとづき、前記突入電流の発生時には、前記電源信号を前記突入電流抑止回路に入力する第１の電源経路に切り替え、前記突入電流の未発生時には、前記電源信号の経路を、前記突入電流抑止回路を迂回させる第２の電源経路に切り替えるスイッチ部、
を備える配電装置と、
を有することを特徴とする配電システム。
【００９９】
（付記８）  前記制御部は、
前記電源信号の電圧値が第１の閾値電圧以下となって、前記第１の閾値電圧以下となる状態が第１の時間以上継続した場合、
前記電源信号の電圧値が第２の閾値電圧を超えて、前記第２の閾値電圧を超える状態が第２の時間以上継続しなかった場合、
前記電源信号の電圧値が第３の閾値電圧を超えるタイミングが第３の時間内に発生しなかった場合、
の少なくとも１つを検出した際に、前記突入電流の発生契機とみなして、前記第１の電源経路へのスイッチ切替指示を出力することを特徴とする付記７記載の配電システム。
【０１００】
（付記９）  前記制御部は、前記配電装置に対する前記電源信号の供給開始に伴って当該制御部が起動した時、前記第１の電源経路へのスイッチ切替指示を出力し、さらに、前記第１の電源経路における電流または電圧が所定値を超えてから一定時間経過後に、前記第２の電源経路へのスイッチ切替指示を出力することを特徴とする付記７記載の配電システム。
【０１０１】
（付記１０）  前記制御部は、前記複数の配電ポートにそれぞれ接続された電子機器の少なくとも１つにおける負荷変動を検出した場合は、前記突入電流の発生契機とみなして、前記第１の電源経路へのスイッチ切替指示を出力することを特徴とする付記７記載の配電システム。
【０１０２】
（付記１１）  前記制御部は、前記複数の配電ポートのうちの１つに接続された一の電子機器から第１の指示を受けると、前記第１の電源経路へのスイッチ切替指示を出力し、その後に前記一の電子機器から第２の指示を受けると、前記第２の電源経路へのスイッチ切替指示を出力することを特徴とする付記７記載の配電システム。
【０１０３】
（付記１２）  前記制御部は、前記複数の配電ポートのうちの１つに接続された電子機器から制御指示を受けると、前記第１の電源経路へのスイッチ切替指示を出力し、前記制御指示に含まれていた設定時間が経過した後、前記第２の電源経路へのスイッチ切替指示を出力することを特徴とする付記７記載の配電システム。
【０１０４】
（付記１３）  配電装置における突入電流抑制方法であって、
複数の電子機器に対して、前記複数の電子機器がそれぞれ接続された複数の配電ポートを通じて電源信号を配電し、
突入電流の発生契機を検出すると、前記電源信号の経路を、突入電流抑止回路を迂回して前記複数の配電ポートに接続する第２の電源経路から、前記突入電流抑止回路を介して前記複数の配電ポートに接続する第１の電源経路に切り替える、
ことを特徴とする突入電流抑制方法。
【０１０５】
（付記１４）  前記電源信号の電圧値が第１の閾値電圧以下となって、前記第１の閾値電圧以下となる状態が第１の時間以上継続した場合、
前記電源信号の電圧値が第２の閾値電圧を超えて、前記第２の閾値電圧を超える状態が第２の時間以上継続しなかった場合、
前記電源信号の電圧値が第３の閾値電圧を超えるタイミングが第３の時間内に発生しなかった場合、
の少なくとも１つを検出した際に、前記突入電流の発生契機とみなして、前記電源信号の経路を前記第１の電源経路に切り替えることを特徴とする付記１３記載の突入電流抑制方法。
【０１０６】
（付記１５）  前記配電装置に対する前記電源信号の供給開始に伴って当該配電装置が起動した時、前記電源信号の経路を前記第１の電源経路に切り替え、さらに、前記第１の電源経路における電流または電圧が所定値を超えてから一定時間経過後に、前記電源信号の経路を前記第２の電源経路に切り替えることを特徴とする付記１３記載の突入電流抑制方法。
【０１０７】
（付記１６）  前記複数の配電ポートにそれぞれ接続された電子機器の少なくとも１つにおける負荷変動を検出した場合は、前記突入電流の発生契機とみなして、前記電源信号の経路を前記第１の電源経路に切り替えることを特徴とする付記１３記載の突入電流抑制方法。
【０１０８】
（付記１７）  前記複数の配電ポートのうちの１つに接続された一の電子機器から第１の指示を受けると、前記電源信号の経路を前記第１の電源経路に切り替え、その後に前記一の電子機器から第２の指示を受けると、前記電源信号の経路を前記第２の電源経路に切り替えることを特徴とする付記１３記載の突入電流抑制方法。
【０１０９】
（付記１８）  前記複数の配電ポートのうちの１つに接続された電子機器から制御指示を受けると、前記電源信号の経路を前記第１の電源経路に切り替え、前記制御指示に含まれていた設定時間が経過した後、前記電源信号の経路を前記第２の電源経路に切り替えることを特徴とする付記１３記載の突入電流抑制方法。
【符号の説明】
【０１１０】
１０  配電装置
１１  突入電流抑止回路
１２  制御部
２０  電源部
３−１〜３−ｎ  電子機器
ｓｗ  スイッチ部
ｐ１〜ｐｎ  配電ポート
【図１】
0005817565.tif 000002
【図２】
0005817565.tif 000003
【図３】
0005817565.tif 000004
【図４】
0005817565.tif 000005
【図５】
0005817565.tif 000006
【図６】
0005817565.tif 000007
【図７】
0005817565.tif 000008
【図８】
0005817565.tif 000009
【図９】
0005817565.tif 000010